(57)【要約】【課題】エレベータの昇降路内の上部に巻き上げ機を取り付ける方法において、巻き上げ機の水平方向移動を不要として、作業の省力化を図る。【解決手段】レール頂部付近に揚重機を設置する揚重機設置ステップＳ３と、レールに巻き上げ機支持梁固定具を取り付けるステップＳ４と、揚重台をレールに対して上下方向に摺動可能に嵌合するステップＳ７と、揚重台の上に巻き上げ機を載置するステップＳ８と、揚重機により巻き上げ機が２本の巻き上げ機支持梁の間を上方へ通り抜けるように揚重台および巻き上げ機を揚重するステップＳ９と、巻き上げ機支持梁が巻き上げ機の脚部の下方になるように巻き上げ機支持梁を水平に移動するステップＳ１１と、揚重機により揚重台および巻き上げ機を下降させて巻き上げ機を２本の巻き上げ機支持梁の上に載置して固定するステップＳ１２と、を有する。【選択図】図４
2012046296.tif 000002
【特許請求の範囲】
【請求項１】
鉛直方向に延びて乗りかごまたは釣合いおもりの昇降をガイドする２本のレールをエレベータの昇降路内に設置するレール設置ステップと、
前記エレベータの昇降路内に吊り元を設置する吊り元設置ステップと、
前記吊り元に揚重機を設置する揚重機設置ステップと、
前記揚重機を設置する位置よりも下方位置で、前記レールそれぞれに巻き上げ機支持梁固定具を取り付ける固定具取り付けステップと、
前記巻き上げ機支持梁固定具にかけ渡すように２本の巻き上げ機支持梁を、互いに間隔をあけて載置する巻き上げ機支持梁載置ステップと、
前記揚重機設置ステップの後に、前記揚重機の一端を揚重台に取り付ける揚重機・揚重台取り付けステップと、
前記巻き上げ機支持梁固定具よりも下方位置で、揚重台を前記レールに対して上下方向に摺動可能に嵌合する揚重台嵌合ステップと、
前記揚重台の上に巻き上げ機を載置する巻き上げ機載置ステップと、
前記揚重機により、前記巻き上げ機の少なくとも脚部および当該巻き上げ機の脚部より上方の部分が前記２本の巻き上げ機支持梁の間を上方へ通り抜けるように前記揚重台および巻き上げ機を揚重し、前記巻き上げ機の少なくとも脚部が前記巻き上げ機支持梁よりも上方になるまで揚重する揚重ステップと、
前記揚重ステップの後に、前記２本の巻き上げ機支持梁が前記巻き上げ機の脚部の下方位置になるように前記２本の巻き上げ機支持梁が互いに近づく方向に当該巻き上げ機支持梁を水平に移動する巻き上げ機支持梁移動ステップと、
前記巻き上げ機支持梁移動ステップの後に、前記揚重機により、前記揚重台および前記巻き上げ機を下降させて、前記巻き上げ機の脚部を前記２本の巻き上げ機支持梁の上に載置して当該巻き上げ機の脚部を当該巻き上げ機支持梁に固定する固定ステップと、
前記揚重台と揚重機と吊り元を取り外す取り外しステップと、
を有することを特徴とするエレベータ巻き上げ機取り付け方法。
【請求項２】
前記吊り元設置ステップは、前記２本のレールの頂部または頂部近傍それぞれに前記吊り元を設置するものであることを特徴とする請求項１に記載のエレベータ巻き上げ機取り付け方法。
【請求項３】
前記揚重ステップは、前記巻き上げ機が載置される前記揚重台の上部の巻き上げ機載置部が前記巻き上げ機支持梁よりも上方になるまで前記揚重台および巻き上げ機を揚重すること、を特徴とする請求項１または請求項２に記載のエレベータ巻き上げ機取り付け方法。
【発明の詳細な説明】
【技術分野】
【０００１】
この発明の実施形態は、エレベータの昇降路内の上部に巻き上げ機を取り付ける方法に関する。
【背景技術】
【０００２】
エレベータの巻き上げ機を昇降路内の天井付近に取り付ける方法として、昇降路の頂部に揚重機を設置して、揚重の案内にレールを用いて、巻き上げ機をマシンベッドごと揚重する方法が知られている。また、別の方法として、レール支持部材に揚重機を設置して、巻き上げ機を、一旦、目的の高さまで揚重した後に所定の位置に水平移動させる方法も知られている。
【先行技術文献】
【特許文献】
【０００３】
【特許文献１】特開２００７−２１０７０８号公報
【特許文献２】国際公開ＷＯ２００２／０７９０６７号
【特許文献３】特開２０００−３４０７２号公報
【発明の概要】
【発明が解決しようとする課題】
【０００４】
従来の巻き上げ機取り付け方法では、揚重機が巻き上げ機の真上に位置する場合は、揚重機の位置以上に揚重することができず、また、揚重機をレールの外側に設置する場合は、レール支持部材と揚重機器（ワイヤなど）との当たりを考慮する必要があり、実際の使用に制限がかかる可能性がある。また、レール支持部材に揚重機を設置する方法では、レールと建物との間の距離によりレール支持部材の大きさが変わるので、常に同じ用品を使用することができない。また、本来レール支持部材は水平方向の荷重を支えるものであるので、レール支持部材で鉛直方向の荷重を支えるようにする場合は、そのような荷重を考慮してレール支持部材の設計をやり直す必要があり、部品が大型化する可能性があった。
【０００５】
この発明の実施形態は、上記課題を解決するためのものであって、エレベータの昇降路内の上部に巻き上げ機を取り付ける方法において、巻き上げ機の水平方向移動を不要として、作業の省力化を図ることを目的とする。
【課題を解決するための手段】
【０００６】
上記目的を達成するために、本発明の実施形態に係るエレベータ巻き上げ機取り付け方法は、鉛直方向に延びて乗りかごまたは釣合いおもりの昇降をガイドする２本のレールをエレベータの昇降路内に設置するレール設置ステップと、前記エレベータの昇降路内に吊り元を設置する吊り元設置ステップと、前記吊り元に揚重機を設置する揚重機設置ステップと、前記揚重機を設置する位置よりも下方位置で、前記レールそれぞれに巻き上げ機支持梁固定具を取り付ける固定具取り付けステップと、前記巻き上げ機支持梁固定具にかけ渡すように２本の巻き上げ機支持梁を、互いに間隔をあけて載置する巻き上げ機支持梁載置ステップと、前記揚重機設置ステップの後に、前記揚重機の一端を揚重台に取り付ける揚重機・揚重台取り付けステップと、前記巻き上げ機支持梁固定具よりも下方位置で、揚重台を前記レールに対して上下方向に摺動可能に嵌合する揚重台嵌合ステップと、前記揚重台の上に巻き上げ機を載置する巻き上げ機載置ステップと、前記揚重機により、前記巻き上げ機の少なくとも脚部および当該巻き上げ機の脚部より上方の部分が前記２本の巻き上げ機支持梁の間を上方へ通り抜けるように前記揚重台および巻き上げ機を揚重し、前記巻き上げ機の少なくとも脚部が前記巻き上げ機支持梁よりも上方になるまで揚重する揚重ステップと、前記揚重ステップの後に、前記２本の巻き上げ機支持梁が前記巻き上げ機の脚部の下方位置になるように前記２本の巻き上げ機支持梁が互いに近づく方向に当該巻き上げ機支持梁を水平に移動する巻き上げ機支持梁移動ステップと、前記巻き上げ機支持梁移動ステップの後に、前記揚重機により、前記揚重台および前記巻き上げ機を下降させて、前記巻き上げ機の脚部を前記２本の巻き上げ機支持梁の上に載置して当該巻き上げ機の脚部を当該巻き上げ機支持梁に固定する固定ステップと、前記揚重台と揚重機と吊り元を取り外す取り外しステップと、を有することを特徴とする。
【図面の簡単な説明】
【０００７】
【図１】本発明に係るエレベータ巻き上げ機取り付け方法の一実施形態における揚重ステップの途中の状況を示す模式的立面図である。
【図２】図１の状態を示す平面図である。
【図３】図１の実施形態におけるエレベータ巻き上げ機取り付け作業完了後の状況を示す模式的立面図である。
【図４】本発明に係るエレベータ巻き上げ機取り付け方法の一実施形態における作業手順を示すフロー図である。
【発明を実施するための形態】
【０００８】
以下に、図面を参照しながら、本発明に係るエレベータ巻き上げ機取り付け方法の実施形態を説明する。図１は、本発明に係るエレベータ巻き上げ機取り付け方法の一実施形態における揚重ステップの途中の状況を示す模式的立面図である。図２は図１の状態を示す平面図である。図３は図１の実施形態におけるエレベータ巻き上げ機取り付け作業完了後の状況を示す模式的立面図である。図４は本発明に係るエレベータ巻き上げ機取り付け方法の一実施形態における作業手順を示すフロー図である。
【０００９】
この実施形態におけるエレベータ装置では、昇降路１０内に、巻き上げ機１３、および、図示しない乗りかご、釣合いおもりが配置される。乗りかごおよび釣合いおもりは、図示しないロープによって吊り下げられ、巻き上げ機１３によってこのロープを巻き上げたり繰り出したりすることにより、昇降する。
【００１０】
乗りかごは、鉛直方向に延びる平行な２本の乗りかごレールにはさまれて上下方向にガイドされ、同様に、釣合いおもりは釣合いおもりレール１５に挟まれて上下方向にガイドされる。
【００１１】
巻き上げ機１３は、昇降路１０内の天井近くに設置されるものであって、図示の例では、は釣合いおもりレール１５に支持される。
【００１２】
つぎに、巻き上げ機１３の取り付け手順を説明する。
【００１３】
はじめに、昇降路１０内に、鉛直方向に延びる２本の釣合いおもりレール１５を設置する（ステップＳ１）。このとき、図１および図３に示すように、釣合いおもりレール１５を、レール支持部材２６によって、昇降路１０の側面を構成する建物壁１７に支持する。
【００１４】
つぎに、釣合いおもりレール１５の頂部に吊り元１８を設置する（ステップＳ２）。ここで、吊り元１８は、たとえば、釣合いおもりレール１５の頂部に引っ掛けられるフックである。
【００１５】
つぎに、吊り元１８に揚重機１９を設置する（ステップＳ３）。ここで、揚重機１９は、たとえばチェーンブロックである。
【００１６】
つぎに、２本の釣合いおもりレール１５それぞれに、巻き上げ機支持梁固定具２０を固定する（ステップＳ４）。巻き上げ機支持梁固定具２０は、図２に示すように、２本の釣合いおもりレール１５が対向する方向と垂直に水平に張り出している。
【００１７】
つぎに、２本の巻き上げ機支持梁２２を、互いに間隔をあけて、それぞれが２個の巻き上げ機支持梁固定具２０をまたぐように巻き上げ機支持梁固定具２０の上に載置する（ステップＳ５）。
【００１８】
つぎに、各揚重機１９の一端を揚重台２１に取り付ける（ステップＳ６）。
【００１９】
つぎに、揚重台２１を、２本の釣合いおもりレール１５に沿って上下方向に摺動可能なように嵌合する（ステップＳ７）。
【００２０】
つぎに、巻き上げ機１３を揚重台２１の上に載せる（ステップＳ８）。ここで、巻き上げ１３は、下方に突出したたとえば４個の脚部２３を有し、揚重台２１の上部の巻き上げ機載置部２４を脚部２３がまたぐように載置されて巻き上げ機１３の荷重が揚重台２１で支持されるものとする。
【００２１】
つぎに、図１に示すように、２台の揚重機１９を操作して、巻き上げ機１３と揚重台２１を揚重する（ステップＳ９）。このとき、巻き上げ機１３および揚重台２１の上部の巻き上げ機載置部２４は、２個の巻き上げ機支持梁固定具２０にはさまれた幅の内側であり、かつ、２本の巻き上げ機支持梁２２にはさまれた幅の内側であるので、巻き上げ機１３および揚重台２１は、２本の巻き上げ機支持梁２２よりも上方位置まで揚重することができる。
【００２２】
つぎに、巻き上げ機１３の脚部２３および揚重台２１の巻き上げ機載置部２４が、２本の巻き上げ機支持梁２２よりも少し上方位置まで揚重された位置で揚重を止める（ステップＳ１０）。
【００２３】
つぎに、２本の巻き上げ機支持梁２２を、互いの間隔が狭まる方向に水平に移動し、巻き上げ機支持梁２２の上に巻き上げ機１３の脚部の２３を取り付けられる位置に位置決めして固定する（ステップＳ１１）。このとき、脚部２３が巻き上げ機載置部２４をまたぐ位置にあるので、脚部２３に干渉せずに巻き上げ機支持梁２２を水平に移動することができる。
【００２４】
つぎに、揚重機１９を巻き下げて、巻き上げ機１３の脚部の２３を巻き上げ機支持梁２２の上に載置して固定する（ステップＳ１２）。
【００２５】
つぎに、揚重台２１、揚重機１９および吊り元１８を撤去する（ステップＳ１３）。
【００２６】
以上説明した実施形態は単なる例示であって、本発明はこれに限定されるものではない。
【００２７】
たとえば、上記実施形態では巻き上げ機１３を釣合いおもりレール１５で支持するものとしたが、巻き上げ機１３を乗りかごレールで支持することも可能である。
【００２８】
また、上記実施形態では巻き上げ機１３の下部に脚部２３が取り付けられているものとしたが、巻き上げ機１３の側部または上部に脚部２３が取り付けられている構成も可能である。この場合に、揚重機１９によって巻き上げ機１３および揚重台２１を揚重するステップＳ９で、巻き上げ機１３の脚部２３および揚重台２１の上部の巻き上げ機載置部２４が、２個の巻き上げ機支持梁固定具２０にはさまれた幅の内側であり、２本の巻き上げ機支持梁２２にはさまれた幅の内側であればよい。これにより、巻き上げ機１３の脚部２３および揚重台２１の上部の巻き上げ機載置部２４を、２本の巻き上げ機支持梁２２よりも上方位置まで揚重することができる。
【符号の説明】
【００２９】
１０  昇降路
１３  巻き上げ機
１５  釣合いおもりレール
１７  建物壁
１８  吊り元
１９  揚重機
２０  巻き上げ機支持梁固定具
２１  揚重台
２２  巻き上げ機支持梁
２３  脚部
２４  巻き上げ機載置部
２６  レール支持部材
【図１】
2012046296.tif 000003
【図２】
2012046296.tif 000004
【図３】
2012046296.tif 000005
【図４】
2012046296.tif 000006